(57)【要約】      （修正有）【課題】強固に組み合わせられることができ、組立て過程がより簡便なパッキングボックスを提供する。【解決手段】本体１１０と、第１の底板１２０と、第２の底板１３０とを備えるパッキングボックス１００であって、本体は、収容空間と、収容空間に連通する底部開口とを有し、対向する第１の側板１１６及び第２の側板１１７とを備える。第１の底板は、第１の側板に折り曲げ可能に接続されており、底部開口を被覆するための第１の底部ブロック１２２と、第１の底部ブロックに折り曲げ可能に接続されているメイン挿入ブロック１２４とを有する。第１の底部ブロックは、スロット１２２ａを有する。メイン挿入ブロックは、第１の底部ブロックが底部開口を被覆すると、底部開口に挿入されて第２の側板に接触する。第２の底板は、第２の側板に折り曲げ可能に接続されており、第２の底部ブロック１３２と、第２の底部ブロックから延出する舌部１３４とを備える。【選択図】図１
0003226791.tif 000002
【実用新案登録請求の範囲】
【請求項１】
収容空間と、前記収容空間に連通する底部開口とを有し、対向する第１の側板及び第２の側板を備える本体と、
前記第１の側板に折り曲げ可能に接続されており、前記底部開口を被覆するための第１の底部ブロックと、前記第１の底部ブロックに折り曲げ可能に接続されているメイン挿入ブロックとを有する第１の底板であって、前記第１の底部ブロックは、スロットを有し、前記メイン挿入ブロックは、前記第１の底部ブロックが前記底部開口を被覆すると、前記底部開口に挿入されて前記第２の側板に接触することに適する第１の底板と、
前記第２の側板に折り曲げ可能に接続されており、第２の底部ブロックと、前記第２の底部ブロックから延出する舌部とを備える第２の底板であって、前記第２の底板の前記第２の底部ブロックは、前記第１の底部ブロックの一部に折り重なることに適し、前記舌部は、前記スロットに挿入されて前記第２の底板を前記第１の底板に取り外し可能に固定することに適する第２の底板と、
を備えることを特徴とするパッキングボックス。
【請求項２】
前記第１の底部ブロックは、対向する第１の辺及び第２の辺を有し、前記第１の辺は、前記第１の側板に接続されており、前記第２の辺は、前記メイン挿入ブロックに接続されており、前記スロットから前記第１の辺までの距離は、前記スロットから前記第２の辺までの距離以上であることを特徴とする請求項１に記載のパッキングボックス。
【請求項３】
前記第２の底部ブロックは、前記第２の側板から前記舌部までの距離が前記第１の側板と前記第２の側板との間の距離の半分であることを特徴とする請求項１に記載のパッキングボックス。
【請求項４】
前記本体は、対向する第３の側板及び第４の側板を備え、前記パッキングボックスは、それぞれ前記第３の側板及び前記第４の側板に折り曲げ可能に接続されている２つの側底板をさらに備え、前記２つの側底板は、前記第１の底部ブロックの一部に折り重なることに適し、前記第２の底部ブロックは、前記第１の底部ブロックの一部及び前記２つの側底板の一部に折り重なることに適することを特徴とする請求項１に記載のパッキングボックス。
【請求項５】
前記２つの側底板のうちの一方は、前記第１の底部ブロックに折り重なると、前記スロットの一部を被覆することを特徴とする請求項４に記載のパッキングボックス。
【請求項６】
前記スロットの長さは、前記舌部の長さと同じであることを特徴とする請求項５に記載のパッキングボックス。
【請求項７】
前記第１の底部ブロックは、対向する第３の辺及び第４の辺を有し、前記第１の底板は、それぞれ前記第１の底部ブロックの前記第３の辺及び前記第４の辺に折り曲げ可能に接続されている２つのサブ挿入ブロックをさらに備え、前記２つのサブ挿入ブロックは、前記第１の底部ブロックが前記底部開口を被覆すると、前記底部開口に挿入されて前記第３の側板及び前記第４の側板に接触することに適することを特徴とする請求項４に記載のパッキングボックス。
【請求項８】
前記サブ挿入ブロックの局所は、対応する前記側底板の局所の形状に相補することを特徴とする請求項７に記載のパッキングボックス。
【請求項９】
前記２つの側底板は、前記第１の底部ブロックに折り重なると、前記スロットを完全に露出させることを特徴とする請求項４に記載のパッキングボックス。
【考案の詳細な説明】
【技術分野】
【０００１】
本考案は、パッキングボックスに関し、特に底部の固定性の良好なパッキングボックスに関する。
【背景技術】
【０００２】
一般的に、普通の強固型のパッキングボックスは、通常、組立が完了した後に、底部が粘着テープにより固定される。しかしながら、この方式は、パッキングボックス内に積み込まれた物体の重量に一定の制限があり、物体が重過ぎると、パッキングボックスの底部の損傷を引き起こし、ひいては物体がこれに起因して落ちて壊れる可能性が高い。また、粘着テープによる底部の固定の動作は、通常、機器で代替することができず、メーカーが商品を積み込むときにパッキングボックスを大量に組み立てる必要があれば、このとき、粘着テープを用いてパッキングボックスの底部を粘着するという手段は、多くの労力及び時間がかかってしまう。したがって、如何にして箱詰の速度を加速するとともに、パッキングボックスの強度を高めることができるかは、重要な課題となっている。
【考案の概要】
【０００３】
本考案は、パッキングボックスであって、その底部が直接的にその構造により強固に組み合わせられることができ、組立過程がより簡便であり、コストを節約するパッキングボックスを提供する。
【０００４】
本考案に係るパッキングボックスは、本体と、第１の底板と、第２の底板とを備える。本体は、収容空間と、収容空間に連通する底部開口とを有し、対向する第１の側板及び第２の側板を備える。第１の底板は、第１の側板に折り曲げ可能に接続されており、底部開口を被覆するための第１の底部ブロックと、第１の底部ブロックに折り曲げ可能に接続されているメイン挿入ブロックとを有する。第１の底部ブロックは、スロットを有する。メイン挿入ブロックは、第１の底部ブロックが底部開口を被覆すると、底部開口に挿入されて第２の側板に接触することに適する。第２の底板は、第２の側板に折り曲げ可能に接続されており、第２の底部ブロックと、第２の底部ブロックから延出する舌部とを備える。第２の底部ブロックは、第１の底部ブロックの一部に折り重なることに適する。舌部は、スロットに挿入されて第２の底板を第１の底板に取り外し可能に固定することに適する。
【０００５】
本考案の一実施例において、前記第１の底部ブロックは、対向する第１の辺及び第２の辺を有し、前記第１の辺は、前記第１の側板に接続されており、前記第２の辺は、前記メイン挿入ブロックに接続されており、前記スロットから前記第１の辺までの距離は、前記スロットから前記第２の辺までの距離以上である。
【０００６】
本考案の一実施例において、前記第２の底部ブロックは、前記第２の側板から前記舌部までの距離が前記第１の側板と前記第２の側板との間の距離の半分である。
【０００７】
本考案の一実施例において、前記本体は、対向する第３の側板及び第４の側板を備え、前記パッキングボックスは、それぞれ前記第３の側板及び前記第４の側板に折り曲げ可能に接続されている２つの側底板をさらに備え、前記２つの側底板は、前記第１の底部ブロックの一部に折り重なることに適し、前記第２の底部ブロックは、前記第１の底部ブロックの一部及び前記２つの側底板の一部に折り重なることに適する。
【０００８】
本考案の一実施例において、前記２つの側底板のうちの一方は、前記第１の底部ブロックに折り重なると、前記スロットの一部を被覆する。
【０００９】
本考案の一実施例において、前記スロットの長さは、前記舌部の長さと同じである。
【００１０】
本考案の一実施例において、前記第１の底部ブロックは、対向する第３の辺及び第４の辺を有し、前記第１の底板は、それぞれ前記第１の底部ブロックの前記第３の辺及び前記第４の辺に折り曲げ可能に接続されている２つのサブ挿入ブロックをさらに備え、前記２つのサブ挿入ブロックは、前記第１の底部ブロックが前記底部開口を被覆すると、前記底部開口に挿入されて前記第３の側板及び前記第４の側板に接触することに適する。
【００１１】
本考案の一実施例において、前記サブ挿入ブロックの局所は、対応する前記側底板の局所の形状に相補する。
【００１２】
本考案の一実施例において、前記２つの側底板は、前記第１の底部ブロックに折り重なると、前記スロットを完全に露出させる。
【００１３】
上記に基づいて、本考案の実施例に係るパッキングボックスの第１の底板は、第１の底部ブロックと、第１の底部ブロックに折り曲げに接続されているメイン挿入ブロックとを有する。第１の底板が底部開口を被覆すると、メイン挿入ブロックは、底部開口に挿入されて第２の側板に接触し、良好な把持力を与える。なお、第１の底板は、スロットを有し、第２の底板は、スロットに対応する舌部を有し、第２の底板が第１の底板に折り重なると、舌部は、対応するスロット内に挿入されて第１の底板と第２の底板を互いに固定する。したがって、本考案の第１の底板及び第２の底板は、直接的に組み合わせられて底部開口を被覆することができるとともに、物品をより強固に載せることができる。
【００１４】
本考案の前記特徴及び利点をより明らかに分かりやすくするために、以下、実施例を特に挙げ、図面を参照して以下のとおりに詳しく説明する。
【図面の簡単な説明】
【００１５】
【図１】本考案の一実施例に係るパッキングボックスの展開状態における平面模式図である。
【図２Ａ】図１におけるパッキングボックスの底部構造の折り畳み過程の模式図である。
【図２Ｂ】図１におけるパッキングボックスの底部構造の折り畳み過程の模式図である。
【図２Ｃ】図１におけるパッキングボックスの底部構造の折り畳み過程の模式図である。
【図２Ｄ】図１におけるパッキングボックスの組立後の斜視模式図である。
【考案を実施するための形態】
【００１６】
図１は、本考案の一実施例に係るパッキングボックスの展開状態における平面模式図である。図２Ａ〜図２Ｃは、図１におけるパッキングボックスの底部構造の折り畳み過程の模式図である。図２Ｄは、図１におけるパッキングボックスの組立後の斜視模式図である。図１〜図２Ｄを参照し、本実施例において、パッキングボックス１００は、図１の展開状態から図２Ｄの組立状態に折り畳むことができる。説明すべきなのは、本考案に係るパッキングボックスの底部構造を明確に説明するために、図２Ａ〜図２Ｄにおいて、パッキングボックス１００は、底部を上向きにするという角度で示され、図１に示す蓋板５の構造の細部は、模式的なものに過ぎず、本考案は、パッキングボックスの蓋板５の形式を制限しないことである。
【００１７】
また、本実施例において、パッキングボックス１００は、例えば、ボール紙で製造されるので、風合いが硬く重量が軽いという利点を有する。もちろん、本考案は、パッキングボックス１００の用途、組立方式及び材質を制限しない。以下、本考案に係るパッキングボックス１００の底部構造の折り畳み過程を詳細に紹介する。
【００１８】
図１及び図２Ａを参照し、本実施例において、パッキングボックス１００は、本体１１０と、第１の底板１２０と、第２の底板１３０とを備える。詳しくは、本体１１０は、第１の側板１１６と、第２の側板１１７とを備え、パッキングボックス１００の第１の底板１２０は、第１の側板１１６に折り曲げ可能に接続されており、第２の底板１３０は、第２の側板１１７に折り曲げ可能に接続されている。本体１１０は、収容空間１１２と、収容空間１１２に連通する底部開口１１４とを有する。
【００１９】
本実施例において、第１の底板１２０は、底部開口１１４を被覆するための第１の底部ブロック１２２と、第１の底部ブロック１２２に折り曲げ可能に接続されているメイン挿入ブロック１２４とを有する。本実施例に係る第１の底部ブロック１２２は、対向する第１の辺１２２１及び第２の辺１２２３を有し、第１の辺１２２１は、第１の側板１１６に接続されており、第２の辺１２２３は、メイン挿入ブロック１２４に接続されている。
【００２０】
図２Ｂに示すように、第１の底部ブロック１２２が底部開口１１４を被覆すると、メイン挿入ブロック１２４は、底部開口１１４に挿入されて第２の側板１１７に接触する。このように、第１の底板１２０は、第１の側板１１６と第２の側板１１７との間に介在する第１の底部ブロック１２２により第１の側板１１６と第２の側板１１７との間の距離を維持することができる。また、第１の底板１２０は、メイン挿入ブロック１２４が第２の側板１１７に押し付けられ、第２の側板１１７との間に摩擦力が存在することにより、底部構造に第一の強度を与えてもよい。
【００２１】
また、本実施例において、第１の底部ブロック１２２は、対向する第３の辺１３２１（図１）及び第４の辺１３２３（図１）を有する。第１の底板１２０は、それぞれ第１の底部ブロック１２２の第３の辺１３２１及び第４の辺１３２３に折り曲げ可能に接続されている２つのサブ挿入ブロック１２６を選択的に備えてもよい。また、本体１１０は、対向する第３の側板１１８及び第４の側板１１９をさらに備える。第１の底部ブロック１２２が底部開口１１４を被覆すると、２つのサブ挿入ブロック１２６は、底部開口１１４に挿入されてそれぞれ第３の側板１１８及び第４の側板１１９に接触する。
【００２２】
同様に、第１の底板１２０は、２つのサブ挿入ブロック１２６が第３の側板１１８及び第４の側板１１９に押し付けられ、第３の側板１１８と第４の側板１１９との間に摩擦力が存在することにより、底部構造に第二の強度を与えることができる。
【００２３】
また、パッキングボックス１００は、それぞれ第３の側板１１８及び第４の側板１１９に折り曲げ可能に接続されている２つの側底板１４０をさらに備える。図２Ｂ及び図２Ｃに示すように、パッキングボックス１００の２つの側底板１４０は、第１の底部ブロック１２２に折り重なり、２つの側底板１４０にそれぞれ対応するスロット１２２ａを部分的に被覆する。
【００２４】
その後、第２の底部ブロック１３２は、図２Ｄに示すように、第１の底部ブロック１２２の一部及び２つの側底板１４０の一部に折り重なる。つまり、側底板１４０は、第１の底板１２０と第２の底板１３０との間に配置される。
【００２５】
図２Ｂ〜図２Ｄを参照し、本実施例において、第２の底板１３０は、第２の底部ブロック１３２と、第２の底部ブロック１３２から延出する舌部１３４とを有し、舌部１３４の数は、例えば２つ示されるが、これに限定されない。第１の底板１２０の第１の底部ブロック１２２は、スロット１２２ａを有し、スロット１２２ａの数は、例えば２つ示されるが、これに限定されない。なお、本実施例に係る舌部１３４の長さＬ１は、スロット１２２ａの長さＬ２と同じである。もちろん、他の実施例において、本考案は、スロット１２２ａの数、舌部１３４の数、スロット１２２ａの長さＬ２及び舌部１３４の長さＬ１を制限しない。
【００２６】
図２Ｄに示すように、第２の底板１３０の舌部１３４は、第１の底板１２０のスロット１２２ａ内に挿入されてパッキングボックス１００の組立を完了させることに適する。
【００２７】
図２Ｂ及び図２Ｃに戻り、説明すべきなのは、本実施例において、２つの側底板１４０は、第１の底部ブロック１２２に折り重なると、それぞれ幅方向Ｄｗにおいて対応するスロット１２２ａを局所的に被覆し、露出するスロット１２２ａの幅Ｗ２を小さくし、換言すれば、露出するスロット１２２ａの幅Ｗ２が元のスロット１２２ａの幅Ｗ１よりも小さいことである。このように、舌部１３４がスロット１２２ａに挿入された後、引き出されにくくすることができる。
【００２８】
また、図示しない他の実施例において、２つの側底板１４０が第１の底部ブロック１２２に折り重なると、２つの側底板１４０は、これらのスロット１２２ａを完全に露出させてもよいが、本考案は、これに限定されない。
【００２９】
この設計に基づいて、舌部１３４をスロット１２２ａ内に挿入しようとすれば、舌部１３４が２つの側底板１４０を押し出し、スロット１２２ａの側底板１４０に元来被覆される部分を明け渡し、舌部１３４をスロット１２２ａに挿入する。その後、側底板１４０が復帰して舌部１３４に当接し、舌部１３４をスロット１２２ａ内により強固に固定し、底部構造に第三の強度を与える。したがって、従来では各パッキングボックスに対して粘着テープを用いて底部を粘着する必要があり、多くの時間及び労力がかかる必要があるが、それと比較すれば、本実施例のパッキングボックス１００の底部構造は、粘着テープ、接着剤又はプラスチックコードなどの固定材料を別途用いる必要がないので、作業者の時間コスト及び労力を節約することができる。
【００３０】
一方では、図１及び図２Ａに戻り、本実施例において、第１の底板１２０のサブ挿入ブロック１２６は、対応する側底板１４０に近接する部分に第１のノッチ１２６ａを有し、側底板１４０は、対応するサブ挿入ブロック１２６に近接する部分に第２のノッチ１４２を有する。この設計に基づいて、サブ挿入ブロック１２６の局所が対応する側底板１４０の局所の形状に相補するので、単一のボール紙で生産でき、材料を節約することができる。また、包装者がパッキングボックス１００を組み立てるときに、第１の底板１２０のサブ挿入ブロック１２６と側底板１４０とが互いに干渉し、組立時間に影響したり、パッキングボックス１００の損傷を引き起こしたりすることも回避できる。
【００３１】
また、図１に示すように、本実施例において、スロット１２２ａは、第１の辺１２２１に近接する縁が第１の底部ブロック１２２の中心線と重なり、スロット１２２ａから第１の辺１２２１までの距離ｄ１が前記スロット１２２ａから前記第２の辺１２２３までの距離ｄ２よりもわずかに大きい。もちろん、他の実施例において、距離ｄ１は、距離ｄ２に等しくてもよい。
【００３２】
また、第１の底部ブロック１２２と第２の底部ブロック１３２の外観での境界を中心線に位置させるために、第２の底部ブロック１３２は、第２の側板１１７から前記舌部１３４までの距離ｄ４が第１の側板１１６と第２の側板１１７との間の距離ｄ３（図２Ｄ）の半分であるが、本考案は、これに限定されない。
【００３３】
以上をまとめると、本考案の実施例に係るパッキングボックスの第１の底板は、第１の底部ブロックと、第１の底部ブロックに折り曲げに接続されているメイン挿入ブロックとを有する。第１の底板が底部開口を被覆すると、メイン挿入ブロックは、底部開口に挿入されて第２の側板に接触し、良好な把持力を与える。なお、第１の底板は、スロットを有し、第２の底板は、スロットに対応する舌部を有し、第２の底板が第１の底板に折り重なると、舌部は、対応するスロット内に挿入されて第１の底板と第２の底板を互いに固定する。したがって、本考案の第１の底板及び第２の底板は、直接的に組み合わせられて底部開口を被覆することができるとともに、物品をより強固に載せることができる。一方では、本考案の２つの側底板が第１の底板と第２の底板との間に配置されることで、第２の底板の舌部と第１の底板のスロットの固定関係をより強固にする。このように、本考案の第１の底板、第２の底板及び側底板は、粘着テープを別途用いて粘着されることなく強固に互いに固定されることができ、組立時間を節約し、環境に優しいという利点を有する。
【００３４】
本実用新案は、実施例により以上のように開示されたが、これらの実施例は、本実用新案を限定するためのものではない。当業者であれば、本考案の趣旨及び範囲から逸脱することなく、若干の変更及び修飾を行うことができるので、本考案の保護範囲は、実用新案登録請求の範囲に限定されているものを基準とすべきである。
【図１】
0003226791.tif 000003
【図２Ａ】
0003226791.tif 000004
【図２Ｂ】
0003226791.tif 000005
【図２Ｃ】
0003226791.tif 000006
【図２Ｄ】
0003226791.tif 000007